(57)【要約】【課題】横桟に複数の縦桟を所定間隔で容易に取り付けることができる縦桟の取付け構造を提供する。【解決手段】横断面ロ字状の縦桟２に、横断面Ｌ字状の係止部材３が該縦桟２と直交し、かつ、少なくとも一端部が縦桟２より横方向に突出した状態で取り付けられており、係止部材３が横桟１の上面に係止されることによって該縦桟２が前記横桟１に取り付けられており、横桟１の上面に係止された複数の係止部材３どうしは突き当てられているので、横桟１に取り付ける複数の縦桟２間の間隔を係止部材３どうしの突き当てによって容易に決定できる。したがって、横桟１に複数の縦桟２を所定間隔で容易に取り付けることができる。【選択図】図２
2008082028.tif 000002
【特許請求の範囲】
【請求項１】
横桟に複数の縦桟を所定間隔で取り付けてなる縦桟の取付け構造であって、
前記縦桟には、係止部材が該縦桟と直交し、かつ、少なくとも一端部が前記縦桟より横方向に突出した状態で取り付けられており、前記係止部材が前記横桟の上面に係止されることによって該縦桟が前記横桟に取り付けられており、
前記横桟の上面に係止された複数の係止部材どうしは突き当てられていることを特徴とする縦桟の取付け構造。 
【請求項２】
請求項１に記載の縦桟の取付け構造において、
前記縦桟が、前記係止部材に所定間隔で平行に複数取り付けられていることを特徴とする縦桟の取付け構造。 
【請求項３】
請求項２に記載の縦桟の取付け構造において、
前記係止部材に複数の縦桟が一定間隔で取り付けられており、前記係止部材の一端部側に位置する縦桟は、前記係止部材の一端とほぼ面一に取り付けられており、前記係止部材の他端部側に位置する縦桟は、前記係止部材の他端から前記一定間隔だけ離れた位置に取り付けられており、
隣り合う係止部材のうち、一方の係止部材の一端と他方の係止部材の他端とが突き当てられていることを特徴とする縦桟の取付け構造。 
【請求項４】
請求項１〜３のいずれか一項に記載の縦桟の取付け構造において、
前記横桟は横断面コ字状に形成され、前記係止部材は横断面Ｌ字状に形成されており、
前記横桟の上フランジの上面に該横桟の開口側から前記係止部材の一片が係止されるとともに、他片によって前記横桟の開口が塞がれており、
前記係止部材の一片から前記横桟の上フランジにビスがねじ込まれていることを特徴とする縦桟の取付け構造。 
【請求項５】
請求項１〜３のいずれか一項に記載の縦桟の取付け構造において、
前記横桟は横断面コ字状に形成され、前記係止部材は横断面Ｌ字状に形成されており、
前記横桟の上フランジの上面に該横桟の開口側から前記係止部材の一片が係止されるとともに、他片によって前記横桟の開口が塞がれており、
前記横桟の上フランジには、この上フランジの先端から下方に垂下する垂下片が形成されており、この垂下片に前記係止部材の他片が当接されており、前記他片から前記垂下片にビスがねじ込まれていることを特徴とする縦桟の取付け構造。
【発明の詳細な説明】
【技術分野】
【０００１】
本発明は、横桟に複数の縦桟を所定間隔で取り付けてなる縦桟の取付け構造に関する。
【背景技術】
【０００２】
従来、格子戸、間仕切り格子戸、フェンス、面格子、門扉等においては、縦方向部材となる縦桟と、横方向部材となる横桟とを十字状に連結する構造が種々提案されている。
例えば、特許文献１には、縦桟の側壁部に長手方向に所定の間隔で係合穴を設けるとともに、横桟の当接面側壁部に前記係合穴に挿入可能な係合部材を所定間隔で設け、前記横桟の係合部材を縦桟の係合穴に係合させることによって縦桟と横桟とを連結した格子パネルが開示されている。
【特許文献１】特開２００１−１１５５９８号公報
【発明の開示】
【発明が解決しようとする課題】
【０００３】
ところで、前記特許文献１に記載の技術では、横桟に縦桟を取り付けるのに、縦桟に係合穴を設けるとともに、横桟に前記係合穴に係合する係合部材を設けているので、横桟に縦桟を所定間隔で取り付けるには、係合部材を所定間隔で取り付ける必要がある。このよに係合部材を横桟に所定間隔で取り付ける場合、予め横桟に係合部材の取付位置を墨出し等によって決めておく必要があるので、この作業に手間がかかるという問題があった。
【０００４】
本発明は上記事情に鑑みてなされたもので、横桟に複数の縦桟を所定間隔で容易に取り付けることができる縦桟の取付け構造を提供することを課題としている。
【課題を解決するための手段】
【０００５】
上記課題を解決するために、請求項１に記載の発明は、例えば図１〜図７に示すように、横桟１に複数の縦桟２を所定間隔で取り付けてなる縦桟の取付け構造であって、
前記縦桟２には、係止部材３が該縦桟２と直交し、かつ、少なくとも一端部が前記縦桟２より横方向に突出した状態で取り付けられており、前記係止部材３が前記横桟１の上面に係止されることによって該縦桟２が前記横桟１に取り付けられており、
前記横桟１の上面に係止された複数の係止部材３どうしは突き当てられていることを特徴とする。
【０００６】
請求項１に記載の発明によれば、縦桟２に取り付けられている係止部材３の少なくとも一端部が前記縦桟２より横方向に突出しており、横桟１の上面に係止された複数の係止部材３どうしが突き当てられているので、横桟１に取り付ける複数の縦桟２間の間隔を係止部材３どうしの突き当てによって容易に決定できる。したがって、横桟１に複数の縦桟２を所定間隔で容易に取り付けることができる。
【０００７】
請求項２に記載の発明は、例えば、図１２に示すように、請求項１に記載の縦桟の取付け構造において、
前記縦桟２２が、前記係止部材２３に所定間隔で平行に複数取り付けられていることを特徴とする。
【０００８】
請求項２に記載の発明によれば、縦桟２２が係止部材２３に所定間隔で平行に複数取り付けられているので、一つの係止部材２３を横桟２１に取り付けることによって、複数の縦桟２２を横桟２１に一挙に取り付けることができるので、縦桟２２の取り付け作業が効率的となる。
【０００９】
請求項３に記載の発明は、例えば図８〜図１３に示すように、請求項２に記載の縦桟の取付け構造において、
前記係止部材２３に複数の縦桟２２が一定間隔で取り付けられており、前記係止部材２３の一端部側に位置する縦桟２２は、前記係止部材２３の一端とほぼ面一に取り付けられており、前記係止部材２３の他端部側に位置する縦桟２３は、前記係止部材２３の他端から前記一定間隔だけ離れた位置に取り付けられており、
隣り合う係止部材２３，２３のうち、一方の係止部材２３の一端と他方の係止部材２３の他端とが突き当てられていることを特徴とする。
【００１０】
請求項３に記載の発明によれば、縦桟２２が一定間隔で複数取り付けられた一方の係止部材２３の一端と、他方の係止部材２３の他端とが突き当てられているので、一方の係止部材２３の一端部側にある縦桟２２と、他方の係止部材２３の他端部側にある縦桟２２との間隔が、係止部材２３に取り付けられた縦桟２２間の間隔と等しくなる。したがって、全ての縦桟２２を一定間隔で横桟２１に容易に取り付けることができる。
【００１１】
請求項４に記載の発明は、例えば図１〜図７に示すように、請求項１〜３のいずれか一項に記載の縦桟の取付け構造において、
前記横桟１は横断面コ字状に形成され、前記係止部材３は横断面Ｌ字状に形成されており、
前記横桟１の上フランジ１ａの上面に該横桟１の開口側から前記係止部材３の一片３ａが係止されるとともに、他片３ｂによって前記横桟１の開口が塞がれており、
前記係止部材３の一片３ａから前記横桟１の上フランジ１ａにビス１１がねじ込まれていることを特徴とする。
【００１２】
請求項４に記載の発明によれば、断面Ｌ字状の係止部材３の一片３ａから断面コ字状の横桟１の上フランジ１ａにビス１１がねじ込まれているので、横桟１の上面に係止された係止部材３をビス１１によって横桟１に強固に固定できる。
また、縦桟２および横桟１を正面側から見た場合に、前記ビス１１が正面側に現われないので、外観上好ましいものとなる。
さらに、係止部材３の他片３ｂによって横桟１の開口が塞がれているので、横桟１の内部を隠すことができ、この点においても外観上好ましいものとなる。
【００１３】
請求項５に記載の発明は、例えば図１〜図７に示すように、請求項１〜３のいずれか一項に記載の縦桟の取付け構造において、
前記横桟１は横断面コ字状に形成され、前記係止部材３は横断面Ｌ字状に形成されており、
前記横桟１の上フランジ１ａの上面に該横桟１の開口側から前記係止部材３の一片３ａが係止されるとともに、他片３ｂによって前記横桟１の開口が塞がれており、
前記横桟１の上フランジ１ａには、この上フランジ１ａの先端から下方に垂下する垂下片４が形成されており、この垂下片４に前記係止部材３の他片３ｂが当接されており、前記他片３ｂから前記垂下片４にビス１２がねじ込まれていることを特徴とする。
【００１４】
請求項５に記載の発明によれば、断面Ｌ字状の係止部材３の他片３ｂから断面コ字状の横桟１の垂下片４にビス１２がねじ込まれているので、横桟１の上面に係止された係止部材３をビス１２によって横桟１に強固に固定できる。
また、ビス１２を縦桟２および横桟１の正面側からねじ込むことができるので、ビス１２による固定作業が行い易くなる。
【発明の効果】
【００１５】
本発明によれば、縦桟に、係止部材が縦桟と直交し、かつ、少なくとも一端部が縦桟より横方向に突出した状態で取り付けられており、係止部材が横桟の上面に係止されることによって縦桟が横桟に取り付けられており、横桟の上面に係止された複数の係止部材どうしが突き当てられているので、横桟に取り付ける複数の縦桟間の間隔を係止部材どうしの突き当てによって容易に決定できる。したがって、横桟に複数の縦桟を所定間隔で容易に取り付けることができる。
【発明を実施するための最良の形態】
【００１６】
以下図面を参照して本発明の実施の形態について説明する。
（第１の実施の形態）
図１〜図７は、本発明に係る縦桟の取付け構造の一例を示すもので、図１は正面図、図２は平面図、図３は横桟を固定した状態を示す断面図、図４および図５は横桟に縦桟を取り付けた状態を示す要部の断面図、図６は横桟に縦桟を取り付けた状態を示す要部の斜視図、図７は外壁に横桟と縦桟を固定した状態を示す断面図である。
【００１７】
これらの図において、符号１は横桟、符号２は縦桟、符号３は係止部材を示す。横桟１には複数の縦桟２が係止部材３を介して取り付けられている。
横桟１は、アルミニウム等の金属によって横断面コ字状に形成された左右に長尺なものであり、その上フランジ１ａの先端部には、下方に垂下する垂下片４が横桟１の長手方向に沿って形成されている。この垂下片４の下端は横桟１の下フランジ１ｂより上方に位置している、つまり、ウエブ１ｃの上下方向中央部より若干下方に位置している。
横桟１は、上下に所定間隔で３本水平に配置されており、図３に示すように、横桟１のウエブ１ｃを、例えば建物の外壁５のサイディング６に当接したうえで、該ウエブ１ｃからビス７をサイディング６、胴縁８を貫通して躯体９までねじ込むことによって、外壁５に固定されている。
なお、ビス７は横桟１の長手方向に所定間隔でかつ上下方向に２列、千鳥状に配置されている。
【００１８】
縦桟２は、アルミニウム等の金属によって横断面ロ字状に形成された上下に長尺なものであり、前記横桟１に以下のようにして複数取り付けられている。
すなわちまず、図１および図２に示すように、縦桟２は合計２２本あり、その中央部の２本の縦桟２と、左右両側にそれぞれ１０本ずつある縦桟２とは、横桟１への固定方法が若干異なっている。
左右１０本ずつの縦桟２には、図４および図６に示すように、前記係止部材３が縦桟２と直交し、かつ、一端部が縦桟２より横方向に突出した状態で取り付けられている。係止部材３は、アルミニウム等の金属によって横断面Ｌ字状に形成されており、水平な一片３ａとこの一片３ａに対して直角に形成された他片３ｂとを有している。
【００１９】
係止部材３の他片３ｂには、縦桟２が他片３ｂから縦桟２にビス１０をねじ込むことによって固定されている。また、係止部材３の一片３ａは横桟１の上フランジ１ａの上面に掛けられて係止されており、この状態において、他片３ｂは前記垂下片４に当接しているとともに、横桟１の開口を塞いでいる。
そして、係止部材３の一片３ａから横桟１の上フランジ１ａにビス１１をねじ込むことによって、係止部材３が横桟１に固定されている。このようにして、横桟１には係止部材３を介して縦桟２が直交して取り付けられている。
なお、横桟１は上下方向に離間して３本あるので、３本の横桟１と１本の縦桟２とのそれぞれの交差部において、上記のようにして係止部材３を介して、横桟１に縦桟２が取り付けられている。
また、横桟１に縦桟２を取り付ける場合、まず、１本の縦桟２に３つの係止部材３を取り付けることによって、係止部材付き縦桟２を構成しておき、この係止部材付き縦桟２の３つの係止部材３を３本の横桟１にそれぞれ取り付けることによって、横桟１に縦桟２を取り付ける。
【００２０】
中央部の２本の縦桟２は、図２および図５に示すように、係止部材３の他片３ｂに、該他片３ｂから縦桟２にビス１０をねじ込むことによって固定されている。２本の縦桟２はそれぞれ係止部材３の両端部に取り付けられており、係止部材３の両端と縦桟２とはほぼ面一となっている。
また、係止部材３の一片３ａは横桟１の上フランジ１ａの上面に掛けられて係止されており、この状態において、他片３ｂは前記垂下片４に当接しているとともに、横桟１の開口を塞いでいる。
そして、係止部材３の他片３ｂから横桟１の垂下片４にビス１２をねじ込むことによって、係止部材３が横桟１に固定されている。このようにして、横桟１には係止部材３を介して２本の縦桟２が直交して取り付けられている。
なお、横桟１は上下方向に離間して３本あるので、３本の横桟１と２本縦桟２とのそれぞれの交差部において、上記のようにして係止部材３を介して、横桟１に縦桟２が取り付けられている。
また、横桟１に縦桟２を取り付ける場合、まず、２本の縦桟２に３つの係止部材３を取り付けることによって、係止部材付き縦桟２を構成しておき、この係止部材付き縦桟２の３つの係止部材３を３本の横桟１にそれぞれ取り付けることによって、横桟１に縦桟２を取り付ける。
【００２１】
横桟１に複数の縦桟２を係止部材３を介して取り付ける場合、まず、図２および図７に示すように、３本の横桟１を上下に離間して互いに平行にして、躯体（例えばマグサ）９にビス７によって取り付け固定しておく。
一方、１本の縦桟２に３つの係止部材３が取り付けられた係止部材付き縦桟２を２０組と、２本の縦桟２に３つの係止部材３が取り付けられた係止部材付き縦桟２を１組とを用意しておき、これらを横桟１に取り付ける際に、隣り合う係止部材３を突き当てた状態で配置していくとともに、係止部材３の一片３ａを横桟１の上フランジ１ａの上面に掛けて係止する。そして、中央の２本の縦桟２は、係止部材３の他片３ｂから横桟１の垂下片４にビス１２をねじ込むことによって固定し、左右１０本ずつの縦桟２は、係止部材３の一片３ａから横桟１の上フランジ１ａにビス１１をねじ込むことによって固定する。このようにして、横桟１に複数の縦桟２を係止部材３を介して取り付ける。
【００２２】
本実施の形態によれば、縦桟２に取り付けられている係止部材３の一端部が縦桟２より横方向に突出しており、横桟１の上フランジ１ａの上面に係止された複数の係止部材３どうしが突き当てられているので、横桟１に取り付ける複数の縦桟２間の間隔を係止部材３どうしの突き当てによって容易に決定できる。したがって、横桟１に複数の縦桟２を所定間隔で容易に取り付けることができる。
また、断面Ｌ字状の係止部材３の一片３ａから断面コ字状の横桟１の上フランジ１ａにビス１１がねじ込まれているので、横桟１の上面に係止された係止部材３をビス１１によって横桟１に強固に固定できる。
また、縦桟２および横桟１を正面側から見た場合に、前記ビス１１が正面側に現われないので、外観上好ましいものとなる。
さらに、係止部材３の他片３ｂによって横桟１の開口が塞がれているので、横桟１の内部を隠すことができ、この点においても外観上好ましいものとなる。
【００２３】
また、中央の２本の縦桟２においては、断面Ｌ字状の係止部材３の他片３ｂから断面コ字状の横桟１の垂下片４にビス１２がねじ込まれているので、横桟１の上フランジ１ａの上面に係止された係止部材３をビス１２によって横桟１に強固に固定できる。
また、ビス１２を縦桟２および横桟１の正面側からねじ込むことができるので、ビス１２による固定作業が行い易くなる。
【００２４】
（第２の実施の形態）
図８〜図１３は、本発明に係る縦桟の取付け構造の他の例を示すもので、図８は正面図、図９は平面図、図１０は図９におけるＡ矢視図、図１１は外壁に横桟と縦桟を固定した状態を示す断面図、図１２は横桟に縦桟を取り付ける状態を示す要部の斜視図、図１３は同要部の正面図である。
【００２５】
この第２の実施の形態が、第１の実施の形態と大きく異なる点は、縦桟が係止部材に所定間隔で平行に複数取り付けられている点である。図８〜図１３において、符号２１は横桟、符号２２は縦桟、符号２３は係止部材を示す。横桟２１には複数の縦桟２２が係止部材２３を介して取り付けられている。
横桟２１は、前記横桟１と同様に、アルミニウム等の金属によって横断面コ字状に形成された左右に長尺なものであり、その上フランジ２１ａの先端部には、下方に垂下する垂下片２４が横桟１の長手方向に所定間隔で形成されている。この垂下片２４の下端は横桟２１の下フランジ２１ｂより上方に位置している、つまり、ウエブ２１ｃの上下方向中央部より若干下方に位置している。
横桟２１は、上下に所定間隔で２本水平に配置されており、図１１に示すように、横桟２１のウエブ２１ｃを、例えば建物の外壁２５のサイディング２６に当接したうえで、該ウエブ２１ｃからビス２７をサイディング２６、胴縁２８を貫通して躯体２９までねじ込むことによって、外壁２５に固定されている。なお、上方の躯体２９は床パネルであり、下方の躯体２９は壁パネルである。
なお、ビス２７は横桟２１の長手方向に所定間隔でかつ上下方向に２列、千鳥状に配置されている。
【００２６】
縦桟２２は、横断面矩形の二重環状に形成された上下に長尺なものであり、木粉を含む樹脂で形成された矩形筒状の外層部と、この外層部の内部に挿入された矩形筒状の芯材とから構成されている。芯材はアルミニウム等の金属によって形成されている。
係止部材２３は、前記係止部材３と同様に、アルミニウム等の金属によって横断面Ｌ字状に形成されており、水平な一片２３ａとこの一片２３ａに対して直角に形成された他片２３ｂとを有している。
そして、縦桟２２は横桟２１に以下のようにして複数取り付けられている。
すなわち、図９および図１２に示すように、係止部材２３には複数の縦桟２２が、係止部材２３に一定間隔で平行に複数取り付けられている。複数の縦桟２２のうち係止部材２３の一端部（図９および図１２において右端部）側に位置する縦桟２２は係止部材２３の一端とほぼ面一に取り付けられており、係止部材２３の他端部（図９および図１２において左端部）側に位置する縦桟２２は、係止部材２３の他端から前記一定間隔だけ離れた位置に取り付けられている。
【００２７】
縦桟２２に係止部材２３を取り付ける場合、係止部材２３の他片２３ｂからビス１０を縦桟２２にねじ込むことによって取り付けられている。
また、係止部材２３を横桟２１に取り付ける場合、図１２および図１３に示すように、係止部材２３の一片２３ａを横桟２１の上フランジ２１ａに掛けて係止するとともに、係止部材２３の他片２３ｂを横桟２１の垂下片２４に当接し、さらに、他片２３ｂからビス１２を垂下片２４にねじ込むことによって取り付け固定されている。なお、係止部材２３の他片２３ｂと、横桟２１の垂下片２４とには予め下穴３０と下穴３１が形成されており、これら下穴３０，３１を合致させて、該下穴３０，３１にビス１２をねじ込むようになっている。
なお、垂下片２４は横桟２１にその長手方向に所定間隔で形成されているが、一つの係止部材２３は、互いに隣り合う垂下片２４，２４に固定されるようになっている。
【００２８】
横桟２１に複数の縦桟２２を係止部材２３を介して取り付ける場合、まず、図９および図１１に示すように、２本の横桟２１を上下に離間して互いに平行にして、躯体（例えば床パネルや壁パネル）２９にビス２７によって取り付け固定しておく。
一方、複数（３〜７本程度）の縦桟２２に２つの係止部材２３が取り付けられた係止部材付き縦桟２２を正面側用７組と、側面側用３組とを用意しておき、これらを横桟２１に取り付ける際に、隣り合う係止部材２３，２３のうち、一方の係止部材２３の一端と他方の係止部材２３の他端とが突き当てられるようにして配置していくとともに、係止部材２３の一片２３ａを横桟２１の上フランジ２１ａの上面に掛けて係止する。そして、係止部材２３の他片２３ｂから横桟２１の垂下片２４にビス１２をねじ込むことによって係止部材２３を横桟２３ｂに固定する。
なお、図９に示すように、正面側において左端の２本の縦桟２２は、左端側にある係止部材２３から腕を延ばし、この腕に固定する。また、側面側において右端の１本の縦桟２２は、右端側にある係止部材２３から腕を延ばし、この腕に固定する。
【００２９】
本実施の形態によれば、第１の実施の形態と同様の効果を得られるほか、縦桟２２が係止部材２３に所定間隔で平行に複数取り付けられているので、一つの係止部材２３を横桟２１に取り付けることによって、複数の縦桟２２を横桟２１に一挙に取り付けることができるので、縦桟２２の取り付け作業が効率的となる。
また、縦桟２２が一定間隔で複数取り付けられた一方の係止部材２３の一端と、他方の係止部材２３の他端とが突き当てられているので、一方の係止部材２３の一端部側にある縦桟２２と、他方の係止部材２３の他端部側にある縦桟２３との間隔が、係止部材２３に取り付けられた縦桟２２間の間隔と等しくなる。したがって、全ての縦桟２２を一定間隔で横桟２１に容易に取り付けることができる。
【図面の簡単な説明】
【００３０】
【図１】本発明に係る縦桟の取付け構造の一例を示すもので、その正面図である。
【図２】同、平面図である。
【図３】同、横桟を躯体に固定した状態を示す要部の断面図である。
【図４】同、横桟に縦桟を取り付けた状態を示す要部の断面図である。
【図５】同、横桟に縦桟を取り付けた状態を示す要部の断面図である。
【図６】同、横桟に縦桟を取り付けた状態を示す要部の斜視図である。
【図７】同、外壁に横桟と縦桟を固定した状態を示す断面図である。
【図８】本発明に係る縦桟の取付け構造の他の例を示すもので、その正面図である。
【図９】同、平面図である。
【図１０】同、図９におけるＡ矢視図である。
【図１１】同、外壁に横桟と縦桟を固定した状態を示す断面図である。
【図１２】同、横桟に縦桟を取り付ける状態を示す要部の斜視図である。
【図１３】同、横桟に縦桟を取り付ける状態を示す要部の正面図である。
【符号の説明】
【００３１】
１，２１  横桟
１ａ，２１ａ  上フランジ
２，２２  縦桟
３，２３  係止部材
３ａ  一片
３ｂ  他片
４，２４  垂下片
１１，１２  ビス
【図１】
2008082028.tif 000003
【図２】
2008082028.tif 000004
【図３】
2008082028.tif 000005
【図４】
2008082028.tif 000006
【図５】
2008082028.tif 000007
【図６】
2008082028.tif 000008
【図７】
2008082028.tif 000009
【図８】
2008082028.tif 000010
【図９】
2008082028.tif 000011
【図１０】
2008082028.tif 000012
【図１１】
2008082028.tif 000013
【図１２】
2008082028.tif 000014
【図１３】
2008082028.tif 000015